(57)【要約】【課題】インキ収容体内のインキの動きを妨げず、また筆記時に発生する気泡が途中で留まることなくインキ収容体の後方へ移動できる構造のインキ吸入機構付き万年筆とする。【解決手段】押棒８の後方部に押棒８に設けた雄螺子部８ｂより巾広の係止部８ｃを形成すると共に、操作部材９の内面に押棒８の係止部８ｃに当接する係止受部９ｃを形成し、操作部材９を回転操作することで押棒８を前進させた際に、押棒８の係止部８ｃを操作部材９の係止受部９ｃに当接させ押棒８の前進を規制して、移動弁部材７がペン芯２０の後端部２０ａに接触することを防止させる構造とする。【選択図】図４
2011161670.tif 000002
【特許請求の範囲】
【請求項１】
軸筒の前方部に、後端部を前記軸筒の内部へ突出させて配したペン芯と、当該ペン芯に隣接させたペン先とを装着し、前記インキ収容体の内部に摺動可能に配した移動弁部材を、前記インキ収容体の外部に露出させた操作部材を回転操作することにより、当該移動弁部材に連結し且つ外面に前記操作部材の雌螺子部と噛み合う雄螺子部を設けた押棒を介して前後動させて、前記インキ収容体の内部にインキを吸入するインキ吸入機構付きの万年筆であって、前記押棒の後方部に前記雄螺子部より巾広の係止部を形成すると共に、前記操作部材の内面に前記押棒の係止部に当接する係止受部を形成し、前記操作部材を回転操作することで前記押棒を前進させた際に、前記押棒の係止部を前記操作部材の係止受部に当接させ当該押棒の前進を規制して、前記移動弁部材が前記ペン芯の後端部に接触することを防止させる構造を特徴としたインキ吸入機構付き万年筆。
【発明の詳細な説明】
【技術分野】
【０００１】
本発明はインキ吸入機構付きの万年筆に関し、さらに詳細には、軸筒の前方部に、後端部をインキ収容体の内方に突出させて配したペン芯と、ペン芯に隣接させたペン先とを装着し、インキ収容体の内部に摺動可能に配した移動弁部材を、インキ収容体の外部に露出させた操作部材を回転操作することにより、移動弁部材に連結し且つ外面に操作部材の雌螺子部に噛み合う雄螺子部を設けた押棒を介して前後動させて、インキ収容体の内部にインキを吸入するインキ吸入機構付き万年筆に関する。
【背景技術】
【０００２】
従来より、インキ収容体にインキを吸入する手段として、例えば特開２００２−３３１７９０号公報にも開示されているように、操作部材を回転操作することでインキ収容体の内部に配した移動弁部材を前後動させ、インキ収容体内にインキの吸入を行なう構造のインキ吸入機構はよく知られている。この様なインキ吸入機構を用いた万年筆を図で説明すると、図７に示すように、万年筆１００の軸筒２には、インキ吸入機構５０を設けてあり、インキ吸入機構５０の操作部材９０を回転操作することにより、操作部材９０に設けた雌螺子部９０ａで押棒８０に設けた雄螺子部８０ａを前進させて、押棒８０と共に移動弁部材７０を前進させ、前進した状態の移動弁部材７０を操作部材９０の逆回転で後退させることにより、インキ収容体６０内に負圧を発生させ、インキ瓶に入れたペン芯２０からインキを吸入させる構造である。
【０００３】
また、従来のインキ吸入機構付き万年筆では、図８に示すように、インキ吸入機構の替わりに、インキ３００を収容したカートリッジ６１を軸筒２内に装着できる構造としたものがある。この様な万年筆では、軸筒２の内部へ突出させたペン芯２０の後端部２０ａによって、インキ３００が漏れないようにカートリッジ６１の前方部を密嵌させた蓋体６１ａを押し開ける構造としたものがある。したがって、図７に示すように、前進させた移動弁部材７０がペン芯２０の後端部２０ａに当接して破損しないように、また操作部材９０の雌螺子部９０ａと押棒８０の雄螺子部８０ａとの螺合状態が外れてしまわないように、前述の特開２００２−３３１７９０号公報にもあるように、インキ収容体６０の内面に円環状の突起６０ａを設けた構造が多い。
【０００４】
ところで、前述の従来構造のインキ吸入機構付き万年筆では、インキ収容体６０の内面に円環状の突起６０ａが設けられてあることから、図９および図１０に示すように、インキ収容体６０にインキ３００を収容した状態でペン先２１を上方に向けた図９の状態から、ペン先２１を下に向けた図１０の状態にする際に、インキ収容体６０内のインキ３００が、インキ収容体６０の内面に形成した円環状の突起６０ａに当たることで、図１０に示すようにインキ３００がペン芯２０側へ行かずに、インキ収容体６０の後ろ側にとどまってしまう場合があった。この様に図１０の状態になってしまうと、ペン芯２０にインキ３００が到達せずに、筆記の書き出しに不具合を発生させていた。また筆記時において、インキ３００の減少に伴ってペン芯２０からインキ収容体６０内に入ってくる気泡が、円環状の突起６０ａに接触することで、気泡がインキ収容体６０の後方へ行かずに突起６０ａで溜まって大きくなってしまい、インキ３００の流出を阻害してしまう場合があった。
【先行技術文献】
【特許文献】
【０００５】
【特許文献１】特開２００２−３３１７９０号公報
【発明の概要】
【発明が解決しようとする課題】
【０００６】
本発明はこうした問題点を解消するために、インキ収容体内のインキの動きを妨げず、また筆記時に発生する気泡が途中で留まることなくインキ収容体の後方へ移動できる構造のインキ吸入機構付き万年筆とすることを目的とした。
【課題を解決するための手段】
【０００７】
本発明は、
「軸筒の前方部に、後端部を前記軸筒の内部へ突出させて配したペン芯と、当該ペン芯に隣接させたペン先とを装着し、前記インキ収容体の内部に摺動可能に配した移動弁部材を、前記インキ収容体の外部に露出させた操作部材を回転操作することにより、当該移動弁部材に連結し且つ外面に前記操作部材の雌螺子部と噛み合う雄螺子部を設けた押棒を介して前後動させて、前記インキ収容体の内部にインキを吸入するインキ吸入機構付きの万年筆であって、前記押棒の後方部に前記雄螺子部より巾広の係止部を形成すると共に、前記操作部材の内面に前記押棒の係止部に当接する係止受部を形成し、前記操作部材を回転操作することで前記押棒を前進させた際に、前記押棒の係止部を前記操作部材の係止受部に当接させ当該押棒の前進を規制して、前記移動弁部材が前記ペン芯の後端部に接触することを防止させる構造を特徴としたインキ吸入機構付き万年筆。」である。
【発明の効果】
【０００８】
本発明のインキ吸入機構付き万年筆は、インキ収容体の内面に突起を設けることなく、インキ収容体内を前後動する移動弁部材の前進を規制することができることから、インキ収容体内のインキの動きが妨げられることなく、インキ収容体内におけるインキの後方から前方への移動が滑らかに行えるものとなった。また、筆記時にインキの減少に伴ってペン芯から発生する気泡がインキ収容体の途中で留まることなくインキ収容体の後方へ行くので、インキの流出が阻害されることがないものとなった。
【図面の簡単な説明】
【０００９】
【図１】本実施例のインキ吸入機構付き万年筆である。
【図２】胴部を外してインキ吸入機構を露出させた状態の図である。
【図３】図２のＫ−Ｋ線断面図である。
【図４】本実施例のインキ吸入機構付き万年筆で、インキを吸入する状態を示した図である。
【図５】本実施例のインキ吸入機構付き万年筆で、インキ収容体にインキを収容してペン先を上方に向けた状態の図である。
【図６】本実施例のインキ吸入機構付き万年筆で、インキ収容体にインキを収容してペン先を上方に向けた状態から、ペン先を下方に向けた状態の図である。
【図７】従来のインキ吸入機構付き万年筆である。
【図８】カートリッジを装着した万年筆である。
【図９】従来のインキ吸入機構付き万年筆で、インキ収容体にインキを収容してペン先を上方に向けた状態の図である。
【図１０】従来のインキ吸入機構付き万年筆で、インキ収容体にインキを収容してペン先を上方に向けた状態から、ペン先を下方に向けた状態の図である。
【発明を実施するための形態】
【００１０】
次に、図面を参照しながら説明を行うが、本発明は以下の実施例に限定されるものではない。また図中の同じ部材、同じ部品については、同じ符号としてある。
【００１１】
図１に示すように本実施例の万年筆１は、軸筒２の前方にペン芯２０とペン先２１を装着してある。また、軸筒２は、首部３，胴部４，尾冠４０から構成されており、尾冠４０は胴部４に圧入嵌合して一体とし、首部３と胴部４は、双方に設けた螺子部(図示せず)により着脱可能に螺子嵌合してある。尚、軸筒２の内部には、インキ吸入機構５を設けてある。
【００１２】
また、図２にて詳細を示してあるように、インキ吸入機構５は、首部３に挿着した筒状のインキ収容体６の内部を前後動可能とする移動弁部材７を配してあり、移動弁部材７に形成した孔部７ａに押棒８の先端部８ａを圧入して一体としてある。また、操作部材９の外側に形成した大径部９ａの後端部をインキ収容体６の後部に圧嵌した連結筒１０の内向きの鍔部１０ａに当接させ、操作部材９の前端部を連結筒１０の内部に圧入および接着して固着させた回転規制部材１１へ当接させることにより、インキ収容体６に対して操作部材９が前後に動かない状態で回転可能に配設してある。また押棒８は、操作部材９の回転に伴って回転しないように、図３に示すように、回転規制部材１１に穿孔した長方形形状の貫通孔１１ａに対して、外形が長方形形状である押棒８を挿通させて回転を規制してある。
また、操作部材９の内面に雌螺子部９ｂを形成し、押棒８の外面に雄螺子部８ｂを形成し、操作部材９を回転操作することによって、図２に示すように移動弁部材７が前後動するようにしてある。尚、本実施例では、押棒８の後方部に雄螺子部８ｂより巾広の係止部８ｃを形成してあり、係止部８ｃを操作部材９の内面前方部に形成した係止受部９ｃに当接することで、押棒８の前進を規制して移動弁部材７がペン芯２０の後端部に接触することを防止させる構造としてある。
【００１３】
次に、図４を用いて、インキ収容体にインキを吸入する状態についての説明を行う。図４に示すように、押棒８の係止部８ｃが操作部材９の係止受部９ｃに当接した前進状態から、操作部材９の逆回転で移動弁部材７を後退させることによって、インキ収容体６０の内部に負圧を発生させ、インキ瓶２００に入れたペン芯２０を経由して、インキ収容体６の内部にインキ３００を吸入できる構造としてある。
【００１４】
次に、図５，図６を用いて、本実施例のインキ吸入機構を用いた万年筆の使用状態について説明を行う。図５はインキ収容体６の内部にインキ３００が入った状態で、ペン先２１を上方に向けることでインキ３００がインキ収容体６の後方に寄った状態の図である。本実施例の万年筆１は、図５の状態から上下をひっくり返した場合、インキ収容体６の内面にインキ３００の動きを妨げるものがないことから、インキ３００はインキ収容体６の後方から前方へ滑らかに移動することができ、問題なく筆記を開始することができた。また筆記時において、インキ３００の減少に伴ってペン芯２０からインキ収容体６内に入ってくる気泡（図示せず）が、インキ収容体６内の途中で留まることなくインキ収容体６の後方へ行くので、インキ３００の流出が阻害されることもなかった。
【産業上の利用可能性】
【００１５】
本発明の構造は、万年筆以外のマーキングペンや水性ボールペンなどの筆記具に採用することも可能である。
【符号の説明】
【００１６】
１…万年筆、２…軸筒、２０…ペン芯、２１…ペン先、
３…首部、４…胴部、４０…尾冠、
５…インキ吸入機構、
６…インキ収容体、６ａ…内面、
７…移動弁部材、７ａ…孔部、
７ｂ…前方鍔部、７ｃ…後方鍔部、７ｄ…凹凸部、
７ｅ…凹凸部、７ｆ…凸部、７ｇ…凹部、
８…押棒、８ａ…先端部、８ｂ…雄螺子部、８ｃ…係止部、
９…操作部材、９ａ…大径部、９ｂ…雌螺子部、９ｃ…係止受部、
１０…連結筒、１０ａ…鍔部、
１１…回転規制部材、１１ａ…貫通孔、
２００…インキ瓶、３００…インキ。
【図１】
2011161670.tif 000003
【図２】
2011161670.tif 000004
【図３】
2011161670.tif 000005
【図４】
2011161670.tif 000006
【図５】
2011161670.tif 000007
【図６】
2011161670.tif 000008
【図７】
2011161670.tif 000009
【図８】
2011161670.tif 000010
【図９】
2011161670.tif 000011
【図１０】
2011161670.tif 000012